(57)【要約】【課題】前頭部、額、顔面筋肉の緩和と指圧及び背骨、背筋、足など体随所の緩和と指圧することができる健康器具である。【解決手段】軸２は、軽量の管材からなり、主軸３と支軸４とから構成され、主軸３は中央部を境に一方は太い軸３ａ、他方は細い軸３ｂに成形され、太い軸３ａの端部に把持兼取付部５を設け、その他端には一対の円盤状大小の指圧具６を設け、それに続く細い軸３ｂの端部に制止具７を設けてなり、支軸４は主軸３の太い軸３と同じ径の太さで、その端部には把持兼取付部８を設け、他端には一対の円盤状大小の指圧具９を固定してなり、そして、主軸３の細い軸３ｂの制止具７を支軸の一対の円盤状大小の指圧具９を設けてなる方から挿入し、主軸３と支軸４とが一体の棒状の健康器具１０を形成してなり、その両端部の把持兼取付部５，８に把持軸１１，１２の環状取付部１３，１４を嵌合してなることを特徴とする背骨等の指圧及び筋肉緩和に係る健康器具１。【選択図】図１
0003128731.tif 000002
【実用新案登録請求の範囲】
【請求項１】
軸２は、軽量の管材からなり、主軸３と支軸４とから構成され、主軸３は中央部を境に一方は太い軸３ａ、他方は細い軸３ｂに成形され、太い軸３ａの端部に把持兼取付部５を設け、その他端には一対の円盤状大小の指圧具６を設け、それに続く細い軸３ｂの端部に制止具７を設けてなり、支軸４は主軸の太い軸３と同じ径の太さで、その端部には把持兼取付部８を、他端には一対の円盤状大小の指圧具９を固定してなり、そして、主軸３の細い軸３ｂの制止具７を支軸の一対の円盤状大小の指圧具９を設けてなる方から挿入し、主軸３と支軸４とが一体の棒状の健康器具１０を形成してなり、主軸３を前方に捻ると締り、主軸３を後方に捻ると緩み、左右に軸２を伸縮自在とし、適宜の場所において固定することができることを特徴とする背骨等の指圧及び筋肉緩和に係る健康器具１。
【請求項２】
主軸３と支軸４とが一体の棒状の健康器具１０において、主軸３の中央部に目安となるＡ、Ｂの目盛りを設け、それを基準に左右に軸を伸縮自在とし固定することができることを特徴とする請求項１に記載の背骨等の指圧及び筋肉緩和に係る健康器具１。
【請求項３】
左右の把持軸１１，１２の各端部には、内側が太く外側が細くなっている環状取付部１３，１４の中央部に左右回動自在となるよう枢着部１５，１６に枢着され、その各他端には把持部１７，１８が設けられている。この左右の把持軸１１，１２の環状取付部１３，１４を主軸３と支軸４とが一体の健康器具１０となっている両端部の把持兼取付部５，８に嵌合してなることを特徴とする請求項１に記載の背骨等の指圧及び筋肉緩和に係る健康器具１。
【考案の詳細な説明】
【技術分野】
【０００１】  本考案は、前頭部、額、顔面筋肉の緩和と指圧及び背骨、背筋、足など体随所の指圧と緩和することができる背骨等の指圧及び筋肉緩和に係る健康器具に関するものである。
【背景技術】
【０００２】  仰向けに寝た楽な姿勢で背中や腰のつぼに当てたマッサージローラーを、手動ハンドルを設けた移動ローラーで前後自在に移動しながらマッサージを行う手動マッサージローラーに関するものがある。【０００３】  その手動マッサージローラーは、ローラー軸を軸に一方から、移動ローラー、第２マッサージローラー、第１マッサージローラー、第２マッサージローラー、第１マッサージローラー、第２マッサージローラー、移動ローラーの配列で設ける。
ローラー軸の両端に、手動ハンドルを設け、位置を揃えて固定ハンドルで固定するものが提供されていた。
この公開特許文献としては上記説明の特開２００１−１８７０９７公開特許公報「手動マッサージローラー」である。【０００４】  後ろ手を頭方向に大きく移動させなくとも指圧を必要とする頭方向側に円柱状指圧器を十分に移動させることが可能となる円柱状背部指圧器を提供するものがある。【０００５】  大径部からなる凸条周面と小径部からなる凹条周面が軸方向に曲状に連続して凹凸状のくびれを周面に形成する円柱体と、円柱体を中央に位置して円柱体両端の端面から一体的に延び背幅に達する剛性の棒体からなる背幅棒と背幅棒両端のそれぞれの端部に枢着により回転自在に枢着された両側の可撓性の可撓アームからなる可撓アーム付き円柱状背部指圧器がある。
この実用文献としては、上記説明の実用新案登録第３０９９２４３号の実用新案公報「可撓アーム付き円柱状背部指圧器」である。【０００６】  この改善策として、本考案は軸が、軽量の管材からなり、主軸と支軸とから構成され、主軸は中央部を境に一方は太い軸、他方は細い軸に成形され、太い軸の端部に把持兼取付部を設け、その他端には一対の円盤状大小の指圧具を設け、それに続く細い軸の端部に制止具を設けてなり、支軸は主軸の太い軸と同じ径の太さで、その端部には把持兼取付部を設け、他端には一対の円盤状大小の指圧具を固定してなり、そして、主軸の細い軸の制止具を支軸の一対の円盤状大小の指圧具９を設けてなる方から挿入し、主軸と支軸とが一体の棒状の健康器具１０を形成してなるものである。【０００７】  主軸を前方に捻ると締り、主軸を後方に捻ると緩み、左右に軸を伸縮自在とし、適宜の場所において固定することができることを特徴とする背骨等の指圧及び筋肉緩和に係る健康器具及び左右の把持軸の各端部には、内側が太く外側が細くなっている環状取付部の中央部に左右回動自在となるよう枢着部に枢着され、その各他端には把持部が設けられている、この左右の把持軸の環状取付部を主軸と支軸とが一体の健康器具となっている両端部の把持兼取付部に嵌合してなることを特徴とする背骨等の指圧及び筋肉緩和に係る健康器具を実現した。
【考案の開示】
【考案が解決しようとする課題】
【０００８】  本考案が、上記従来技術の解決しようとする点は、主軸と支軸とから構成され、主軸を前方に捻ると締り、主軸を後方に捻ると緩み、左右に軸を伸縮自在とし、適宜の場所において固定することができ、指圧場所を調節することができる点である。【０００９】  さらに、主軸と支軸とが一体の棒状の健康器具を形成してなる両端の把持兼取付部に把持軸の環状取付部を嵌合して背骨等の指圧及び筋肉緩和に係る健康器具は、把持軸の端部に設けられた把持部をそれぞれ手で持ち体の主に後側に当たる頭部から後頭部、首筋、肩、健康骨、背骨、腰、尻、腿、ふくらはぎ、踵、足、等の指圧及び筋肉緩和に使用する点である。
【課題を解決するための手段】
【００１０】  本考案は、軸が、軽量の管材からなり、主軸と支軸とから構成され、主軸は中央部を境に一方は太い軸、他方は細い軸に成形され、太い軸の端部に把持兼取付部を設け、その他端には一対の円盤状大小の指圧具を設け、それに続く細い軸の端部に制止具を設けてなり、支軸は主軸の太い軸と同じ径の太さで、その端部には把持兼取付部を設け、他端には一対の円盤状大小の指圧具を固定してなり、そして、主軸の細い軸の制止具を支軸の一対の円盤状大小の指圧具を設けてなる方から挿入し、主軸と支軸とが一体の棒状の健康器具を形成してなるものである。【００１１】  そして、主軸を前方に捻ると締り、主軸を後方に捻ると緩み、左右に軸を伸縮自在とし、適宜の場所において固定することができる。主軸と支軸とが一体の棒状の健康器具において、主軸の中央部に目安となるＡ、Ｂの目盛りを設け、それを基準に左右に軸を伸縮自在とし固定することができることを特徴とする背骨等の指圧及び筋肉緩和に係る健康器具である。【００１２】  また、左右の把持軸の各端部には、内側が太く外側が細くなっている環状取付部の中央部に左右回動自在となるよう枢着部に枢着され、その各他端には把持部が設けられている、この左右の把持軸の環状取付部を主軸と支軸とが一体の健康器具となっている両端部の把持兼取付部に嵌合してなることを特徴とする背骨等の指圧及び筋肉緩和に係る健康器具である。
【考案の効果】
【００１３】  以上説明したように本考案は、軸が軽量の管材からなり、主軸と支軸とから構成され、主軸は中央部を境に一方は太い軸、他方は細い軸に成形され、主軸を前方に捻ると締り、主軸を後方に捻ると緩み、左右に軸を伸縮自在とし、適宜の場所において固定することができる。したがって、適応箇所の必要において一対の左右の円盤状大小の指圧具の距離を調節して、頭部、額、目、頬、胸部、腹部、腿、腿の裏、脛、ふくらはぎ、足等の指圧、とマッサージを行うことができ、その効用は肩こり、肩こりから来る頭痛、目の疲れ、背中・腰・臀部・太もも・ふくらはぎ等全身のこり、疲れを取除きます。【００１４】  また、一対の左右の円盤状大小の指圧具の距離を離して両端を手で持ち前に上に後ろに反り返ることを繰り返したり、一対の左右の円盤状大小の指圧具の距離を離して両端を手で持ち両膝は床につけ手の左右の円盤状大の指圧具を床につけて、体は四つんばいとなる格好で膝はそのままにして手を伸ばしたり縮めたりすること等による肩や腕の筋力と腹筋・背筋が増強され、その器具は、運動等の体操用具としても利用することができるものである。【００１５】  さらに、主軸と支軸とが一体の棒状の健康器具を形成してなる両端の把持兼取付部に把持軸の環状取付部を嵌合してなることを特徴とする背骨等の指圧及び筋肉緩和に係る健康器具は、把持軸の端部に設けられた把持部をそれぞれ手で持ち体の主に後側に当たる頭部から後頭部、首筋、肩、健康骨、背骨、腰、尻、腿、ふくらはぎ、踵、足、等の指圧及び筋肉緩和に使用するものである。【００１６】  そして、主軸と支軸とが一体の棒状の健康器具を下に、両端の把持軸が垂直になるように手で持ち、上下の運動をすることにより手首、腕、肩等の筋肉の運動となり、その運動器具ともなる便利で経済的な健康器具である。
【考案を実施するための最良の形態】
【００１７】  本考案は、軸が軽量の管材からなり、主軸と支軸とから構成され、主軸は中央部を境に一方は太い軸、他方は細い軸に成形され、主軸を前方に捻ると締り、主軸を後方に捻ると緩み、左右に軸を伸縮自在とし、適宜の場所において固定することができる、主軸と支軸とが一体の棒状の健康器具で、両端の把持兼取付部に把持軸の環状取付部を嵌合してなることを特徴とする背骨等の指圧及び筋肉緩和に係る健康器具と体操器具を実現した。
【実施例】
【００１８】  本考案の実施の態様を以下に図面を参考に説明する。図１は、本考案の背骨等の指圧及び筋肉緩和に係る健康器具で一点鎖線は左右の把持軸の作用説明図であり、図２は、主軸３と支軸４とが一体の健康器具の一部切欠断面を示す説明図である。【００１９】  図３は、主軸３と支軸４とが一体の健康器具の一部切欠断面を示す説明図であって、図４は、支軸４の把持兼取付部から取り外し、斜視した把持軸を一点鎖線は左右の把持軸の作用を示す要部説明図である。【００２０】  図５と図６は、図２に示す主軸３と支軸４とが一体の棒状の健康器具を用いて頭部から顔面にかけての前の部分と頭部から首筋にかけての後ろの部分を押し付けたり緩めたりするとの指圧効果を生じ、また、上下に擦る様にすると筋肉緩和に係るマッサージ効果を生ずるものであるが、その作業を実施している状態を示す説明図である。【００２１】  図７乃至図８は、図１に示す左右の把持軸１１，１２の環状取付部１３，１４を主軸３と支軸４とが一体の健康器具１０となっている両端部の把持兼取付部５，８に嵌合してなる背骨等の指圧及び筋肉緩和に係る健康器具を用いて、頭部から首筋の部分を押し付けたり緩めたりするとの指圧効果を生じ、また、上下に擦る様にすると筋肉緩和に係るマッサージ効果を生ずるものであるが、その作業を実施している状態を側面から示す説明図である。【００２２】  図９乃至図１０は、図１に示す左右の把持軸１１，１２の環状取付部１３，１４を主軸３と支軸４とが一体の健康器具１０となっている両端部の把持兼取付部５，８に嵌合してなる背骨、鎖骨等の指圧及び筋肉緩和に係る健康器具を用いて、押し付けたり緩めたりするとの指圧効果を生じ及び上下に擦る様にすると筋肉緩和に係るマッサージ効果を生ずるものであるが、その背部の部分を指圧及び筋肉緩和に係る作業を実施している状態を側面から示すものが図９であり、背面から示すものが図１０の説明図である。【００２３】  軸２は、軽量の管材からなり、主軸３と支軸４とから構成され、主軸３は中央部を境に一方は太い軸３ａ、他方は細い軸３ｂに成形され、太い軸３ａの端部に把持兼取付部５を設け、その他端には一対の円盤状大小の指圧具６を設け、それに続く細い軸３ｂの端部に制止具７を設けてなり、支軸４は主軸３の太い軸３と同じ径の太さで、その端部には把持兼取付部８を設け、他端には一対の円盤状大小の指圧具９を固定されている。【００２４】  そして、主軸３の細い軸３ｂの制止具７を支軸の一対の円盤状大小の指圧具９を設けてなる方から挿入し、主軸３と支軸４とが一体の棒状の健康器具１０を形成されており、主軸３を前方に捻ると締り、主軸３を後方に捻ると緩み、左右に軸２は伸縮自在となり、適宜の場所において固定することができることを特徴とする背骨等の指圧及び筋肉緩和に係る健康器具１である。【００２５】  また、主軸３と支軸４とが一体の棒状の健康器具１０において、老人，身体障害者のために主軸３の中央部に目安となるＡ、Ｂの目盛りを設け、それを基準に左右に軸を伸縮自在とし固定することができ、そこに自己の目印となる目盛りを付することができることを特徴とする背骨等の指圧及び筋肉緩和に係る健康器具１でもある。【００２６】  更に、左右の把持軸１１，１２の各端部には、内側が太く外側が細くなっている環状取付部１３，１４の中央部に左右回動自在となるよう図１の一点鎖線に示すよう枢着部１５，１６に枢着され、その各他端には把持部１７，１８が設けられている。この左右の把持軸１１，１２の環状取付部１３，１４を主軸３と支軸４とが一体の健康器具１０となっている両端部の把持兼取付部５，８に嵌合してなることを特徴とする背骨等の指圧及び筋肉緩和に係る健康器具１である。
【産業上の利用可能性】
【００２７】  以上説明したことから明らかなように、本考案は、図２に示す主軸３と支軸４とが一体の棒状の健康器具１０または図１に示す左右の把持軸１１，１２の環状取付部１３，１４を主軸３と支軸４とが一体の健康器具１０となっている両端部の把持兼取付部５，８に嵌合してなる背骨等の指圧及び筋肉緩和に係る健康器具を用いて、頭部から足の裏先までの部分を自分の手で指圧及び筋肉緩和に係る作業を実施しするもので有り且つ体操具としても不可欠のものである。
【図面の簡単な説明】
【００２８】
【図１】本考案の背骨等の指圧及び筋肉緩和に係る健康器具で一点鎖線は左右の把持軸の作用説明図である。
【図２】主軸３と支軸４とが一体の健康器具の一部切欠断面を示す説明図である。
【図３】本考案の背骨等の指圧及び筋肉緩和に係る健康器具において、左右の把持軸を取り外し斜視した説明図である。
【図４】支軸４の把持兼取付部から取り外し、斜視した把持軸を一点鎖線は左右の把持軸の作用を示す要部説明図である。
【図５】図２に示す主軸３と支軸４とが一体の棒状の健康器具を用いて頭部から顔面にかけて指圧「直線矢印」及び筋肉緩和「円弧矢印」に係る作業を実施している状態を示す説明図である。
【図６】図２に示す主軸３と支軸４とが一体の棒状の健康器具を用いて頭部から首筋にかけて指圧「直線矢印」及び筋肉緩和「円弧矢印」に係る作業を実施している状態を示す説明図である。
【図７】図１に示す左右の把持軸１１，１２の環状取付部１３，１４を主軸３と支軸４とが一体の健康器具１０となっている両端部の把持兼取付部５，８に嵌合してなる背骨等の指圧及び筋肉緩和に係る健康器具を用いて、頭部の部分を指圧「直線矢印」及び筋肉緩和「円弧矢印」に係る作業を実施している状態を示す説明図である。
【図８】図１に示す左右の把持軸１１，１２の環状取付部１３，１４を主軸３と支軸４とが一体の健康器具１０となっている両端部の把持兼取付部５，８に嵌合してなる背骨等の指圧及び筋肉緩和に係る健康器具を用いて、首筋の部分を指圧「直線矢印」及び筋肉緩和「円弧矢印」に係る作業を実施している状態を示す説明図である。
【図９】図１に示す左右の把持軸１１，１２の環状取付部１３，１４を主軸３と支軸４とが一体の健康器具１０となっている両端部の把持兼取付部５，８に嵌合してなる背骨等の指圧及び筋肉緩和に係る健康器具を用いて、首筋の部分を指圧「直線矢印」及び筋肉緩和「円弧矢印」に係る作業を実施している側面から見た状態を示す説明図である。
【図１０】図１に示す左右の把持軸１１，１２の環状取付部１３，１４を主軸３と支軸４とが一体の健康器具１０となっている両端部の把持兼取付部５，８に嵌合してなる背骨等の指圧及び筋肉緩和に係る健康器具を用いて、背の部分を指圧「直線矢印」及び筋肉緩和「円弧矢印」に係る作業を実施している後部から見た状態を示す説明図である。
【符号の説明】
【００２９】１  背骨等の指圧及び筋肉緩和に係る健康器具
２  軸
３  主軸
３ａ  太い主軸
３ｂ  細い主軸
４  支軸
５  把持兼取付部
６  円盤状の指圧具
６ａ  円盤状大の指圧具
６ｂ  円盤状小の指圧具
７  制止具
８  把持兼取付部
９  円盤状の指圧具
９ａ  円盤状大の指圧具
９ｂ  円盤状小の指圧具
１０  主軸３と支軸４とが一体の棒状の健康器具１５
１１  左把持軸
１２  右把持軸
１３  左環状取付部
１４  右環状取付部
１５  左枢着部
１６  右枢着部
１７  左把持軸
１８  右把持軸
【図１】
0003128731.tif 000003
【図２】
0003128731.tif 000004
【図３】
0003128731.tif 000005
【図４】
0003128731.tif 000006
【図５】
0003128731.tif 000007
【図６】
0003128731.tif 000008
【図７】
0003128731.tif 000009
【図８】
0003128731.tif 000010
【図９】
0003128731.tif 000011
【図１０】
0003128731.tif 000012